(57)【特許請求の範囲】
【請求項１】
データユニットを無線チャネルで送信するハイブリッドＡＲＱ方法であって、前記方法は、
少なくとも１つの符号化パラメータを用いてデータユニットを少なくとも２つの第１および第２の符号語に符号化するステップと、
前記第１の符号語を送信するステップと、
受信機がデータユニットの復号に成功したか否かを示す肯定または否定応答メッセージを受信するステップと、
前記否定応答メッセージを受信した場合、前記第２の符号語を送信するステップとからなり、さらに、
前記符号語ごとの前記否定応答メッセージをカウントすることによって、チャネル状態を示す測定値を求めるステップを含む、
ハイブリッドＡＲＱ方法。
【請求項２】
前記測定値は、前記肯定応答メッセージを受信するまでに受信した前記否定応答メッセージの数である、請求項１に記載のハイブリッドＡＲＱ方法。
【請求項３】
ある数のデータユニットにわたって測定値を平均化するステップ、あるいは以前のデータユニットにより小さな重みをつける重みづけフィルタ機能を適用するステップをさらに含む、請求項１または請求項２に記載のハイブリッドＡＲＱ方法。
【請求項４】
前記少なくとも１つの符号化パラメータは、ＦＥＣ符号化率である、請求項１から請求項３のいずれかに記載のハイブリッドＡＲＱ方法。
【請求項５】
少なくとも１つの符号化パラメータを測定値に適応化するステップをさらに含む、請求項１から請求項４のいずれかに記載のハイブリッドＡＲＱ方法。
【請求項６】
送信パラメータを測定値に適応化するステップをさらに含む、請求項１から請求項５のいずれかに記載のハイブリッドＡＲＱ方法。
【請求項７】
前記送信パラメータは、変調形式である、請求項６に記載のハイブリッドＡＲＱ方法。
【請求項８】
前記送信パラメータは、拡散率である、請求項６に記載のハイブリッドＡＲＱ方法。
【請求項９】
前記送信パラメータは、拡散符号数である、請求項６に記載のハイブリッドＡＲＱ方法。
【請求項１０】
前記少なくとも１つの符号化パラメータは、符号語の符号化率であり、前記方法は、符号化率を高い値に初期化するステップをさらに含む、請求項１から請求項９のいずれかに記載のハイブリッドＡＲＱ方法。
【請求項１１】
前記第２の符号語の符号化率は、前記第１の符号語の符号化率から導き出される、請求項１０に記載のハイブリッドＡＲＱ方法。
【請求項１２】
前記第１の符号語の符号化率のみを受信機に送信するステップさらに含む、請求項１０または請求項１１に記載のハイブリッドＡＲＱ方法。
【請求項１３】
少なくとも１つの符号化パラメータを用いてデータユニットを少なくとも２つの第１および第２の符号語に符号化する符号器と、
前記第１の符号語を送信する送信装置と、
受信機がデータユニットの復号に成功したか否かを示す肯定または否定応答メッセージを受信する受信装置と、
前記否定応答メッセージを受信した場合、前記第２の符号語を送信する送信装置を操作する手段と、
前記符号語ごとの前記否定応答メッセージをカウントすることによって、チャネル状態を示す測定値を求める測定装置と、
を具備するハイブリッドＡＲＱ送信機。
【請求項１４】
請求項１に記載のハイブリッドＡＲＱ方法を実行するように構成された、ハイブリッドＡＲＱ送信機。
【請求項１５】
基地局である、請求項１３または請求項１４に記載のハイブリッドＡＲＱ送信機。
【請求項１６】
要求に応じて測定値を無線ネットワーク・コントローラに送信する手段をさらに具備する、請求項１５に記載のハイブリッドＡＲＱ送信機。
【請求項１７】
周期的に測定値を無線ネットワーク・コントローラに送信する手段をさらに具備する、請求項１５または請求項１６に記載のハイブリッドＡＲＱ送信機。
【請求項１８】
イベントを契機として測定値を無線ネットワーク・コントローラに送信する手段をさらに具備する、請求項１５から請求項１７のいずれかに記載のハイブリッドＡＲＱ送信機。
【請求項１９】
請求項１３から請求項１８のいずれかに記載のハイブリッドＡＲＱ送信機、および受信機を具備するシステム。
【請求項２０】
少なくとも１つの符号化パラメータを測定値に適応化する手段を具備する、請求項１３から請求項１８のいずれかに記載のハイブリッドＡＲＱ送信機。
【請求項２１】
送信パラメータを測定値に適応化する手段を具備する、請求項１３から請求項１８のいずれかに記載のハイブリッドＡＲＱ送信機。
【発明の詳細な説明】
【０００１】
本発明は、データ送信用ハイブリッドＡＲＱ技術に関し、特に通信システムの無線チャネルでデータユニットを受信機に送信する送信機を操作するハイブリッドＡＲＱタイプ２／３方式に関する。本発明はさらに、これに対応する送信機および通信システムに関する。本発明は移動通信システム、特にセルラーシステムに適用可能である。特に、本発明はユニバーサル移動電話システム（ＵＭＴＳ）に適用可能である。
【０００２】
ＵＭＴＳは、次世代の移動通信システムの候補となる技術の１つであり、その構造は図１に示すとおりである。ＵＭＴＳは、コア・ネットワークＣＮ１００がインタフェースｌｕを介して無線アクセス・ネットワークＵＴＲＡＮ１１０（ＵＭＴＳ地上無線アクセス・ネットワーク）に接続された構成をとる。一方、ＵＴＲＡＮ１１０はインタフェースＵｕを介してユーザ装置ＵＥ１２０に接続されている。
【０００３】
図２に示すように、ＵＴＲＡＮ１１０はインタフェースｌｕを介してコア・ネットワークＣＮ１００に接続された１組の無線ネットワーク・サブシステムＲＮＳ２００から構成されている。各ＲＮＳ２００は、ユーザ装置ＵＥ１２０への信号送信を必要とするハンドオーバの決定の役割を果たす無線ネットワーク・コントローラＲＮＣ２１０から構成される。さらに、無線ネットワーク・サブシステムＲＮＳ２００は、インタフェースｌｕｂを介して無線ネットワーク・コントローラＲＮＣ２１０に接続された基地局（ノードＢ）２２０を含む。ＵＴＲＡＮ１１０内で無線ネットワーク・サブシステムＲＮＳ２００の無線ネットワーク・コントローラＲＮＣ２１０同士は、さらにインタフェースｌｕｒを介して相互に接続可能である。インタフェースｌｕおよびｌｕｒは論理インタフェースである。ｌｕｒは無線ネットワーク・コントローラＲＮＣ２１０同士の直接の物理的接続、あるいは任意の好適な搬送ネットワークを用いた仮想ネットワークを介することによって実現できる。
【０００４】
ユーザ装置ＵＥ１２０とＵＴＲＡＮ１１０間のレイヤ３の制御プレーンの信号伝送は、無線リソース制御ＲＲＣレイヤで処理される。同報通信情報の送信、無線キャリヤの確立、無線リソースの制御の他にも、ＲＲＣはユーザ装置ＵＥの測定通知および通知の制御の役割も担う。ユーザ装置ＵＥ１２０が行う測定は、測定対象、測定タイミングおよび通知方法に関して、ＵＭＴＳ無線インタフェース、その他のシステムを含めてＲＲＣが制御する。ＲＲＣレイヤはユーザ装置ＵＥ１２０からネットワークへの測定通知も行う。
【０００５】
データ通信システムにおいて、自動再送要求（ＡＲＱ）に含まれる誤り検出は、誤り制御に広く用いられている。非リアルタイムなサ−ビスの誤り検出のもっとも一般的な技術は、ＡＲＱと誤り訂正復号（ＦＥＣ）を組み合わせたハイブリッドＡＲＱ方式に基づいている。
【０００６】
ＦＥＣは長さｋの情報ビット・ブロックに冗長性を導入し、送信前に長さｎの符号化ブロックを形成する。冗長性は受信機における誤りの抑制に貢献する。
【０００７】
誤り訂正復号を実行する送信機の詳細を図３に示す。送信する入力データはまずバッファ３００に入れられる。バッファ３００にデータが存在し、かつ送信機に送信用の物理チャネルが割り当てられると、データはＦＥＣ符号器３１０で符号化され、それによってマザー・コードが生成される。マザー・コードあるいはマザー・コードのすべての符号語（符号セグメント）は、次に変調器３３０と拡散器３４０（符号分割多元接続ＣＤＭＡシステムの場合）に送られ、ＲＦ回路３５０で無線周波数ＲＦに変換され、アンテナ３６０から送信される。（以下に示す）タイプ２／３ＡＲＱを使用した場合、再送において異なる符合語が送信されるため送信機は符号語バッファ３２０をさらに具備する。
【０００８】
ここでＡＲＱ技術に目をむけると、移動通信においてもっとも頻繁に使用される方式はストップ・アンド・ウェイト（ＳＡＷ）および選択的繰り返し（ＳＲ）連続ＡＲＱ方式である。巡回冗長検査（ＣＲＣ）で誤りが検出された場合、受信機は送信機に対し新たなビットを送信するよう要求する。無線リンク制御ＲＬＣレイヤの再送信単位は、「プロトコルデータユニットＰＤＵ」と呼ばれる。
【０００９】
ＡＲＱ方式に従って動作するよう構成された送信機を図４に示す。送信機は受信機からの要求を受信できなければならないので、送信機はアンテナ３６０を送信、受信双方に使用可能にする共用器４００を具備している。送信機が信号を受信すると、ＲＦ回路４１０で信号をベースバンド信号に変換し、逆拡散器４２０で逆拡散し、逆拡散後の信号を復調器４３０に送信し復調データからＡＣＫ／ＮＡＫ信号を取り出す。ＡＣＫメッセージは、受信機が送信されたＰＤＵの復号に成功したことを送信機に通知する。ＮＡＫメッセージは復号誤りを送信機に通知する。送信機がＡＣＫかＮＡＫのいずれを受信するかによって、ＡＣＫ／ＮＡＫ抽出器４４０は符号語バッファ３２０に再送信の目的でアクセスするか、あるいはＡＣＫを受信した場合はメモリを解放する。
【００１０】
ここで図５を参照すると、このフローチャートは受信機が実行するプロセスを詳細に示している。ステップ５００で受信機は符号語を受信し、ステップ５１０で格納する。符号語が以前に送信済みの場合、受信し格納した符号語はステップ５２０で同じデータユニットの以前に送信した符号語と合成される。次にステップ５３０でＰＤＵの復号が可能であるかどうかが判定される。可能な場合、肯定応答メッセージＡＣＫを送信機に返し、そのＰＤＵのすべての格納済み符号語は解放される（ステップ５４０）。復号が不可能な場合、否定応答メッセージＮＡＫを送信し（ステップ５５０）再送を要求する。
【００１１】
再送するビットによって、ＡＲＱは３種類に分類される。
タイプ１：  誤りを含むＰＤＵは放棄し、ＰＤＵの新しいコピーを再送し単独で復号する。受信した新旧ＰＤＵは合成しない。
タイプ２：  誤りを含み再送を必要とするＰＤＵは放棄せず、送信機側が用意したインクリメンタル冗長ビットと合成し、引き続き復号を行う。再送されたＰＤＵは符号化率がより高い場合があり、受信機側で格納している符号化率と合成される。すなわち、再送のたびにわずかの冗長性が追加されるだけである。
タイプ３：  このＡＲＱタイプはタイプ２のＡＲＱとは、各再送ＰＤＵが自動復号可能であるという点だけが異なる。これはＰＤＵが以前のＰＤＵと合成しなくても復号可能であることを意味している。これはＰＤＵの一部が損傷しその情報がほとんど使用不可である場合に有効である。
【００１２】
タイプ２およびタイプ３方式は、変化する無線環境に応じて符号化率を調整し以前に送信したＰＤＵの冗長性を再利用可能である、という点でタイプ１に比較して処理能力が高く、性能面で優れている。そのようなタイプ２／３ＡＲＱ方式は以下、「インクリメンタル冗長性」と称する。異なるＰＤＵは物理レイヤで別々に符号化され、合成プロセスのため符号化利得を増加させる。全体符号におけるこれらの異なる部分は、「符号ブロック」または「符号語」と呼ばれる。
【００１３】
ＡＲＱタイプ２およびタイプ３方式は、後々の合成のため軟判定値を格納するメモリ・サイズに対して厳しい要求を課すので、非常に高速なフィードバック・チャネルの導入が提案されている。フィードバック・チャネルは受信機から送信機にＡＣＫおよびＮＡＫ情報を送信するために使用される。通常、この情報はステータス・リポートに集められるので、ＡＣＫまたはＮＡＫを送信できるようになるまである程度の往復遅延が含まれる。したがって、無線リンク制御ＲＬＣのようなより上位のレイヤを介することなく物理レイヤで直接フィードバックを非常に高速に行うことが有益であることがわかっている。ＮＡＫを受信した場合、送信機は次の符号ブロックを最小の遅延で送信できる。このように、格納を必要とする符号ブロック数は非常に小さな値に維持され、全体遅延が減少する。
【００１４】
周波数リソースに限界があるため、将来の通信システムは無線環境に適応したものとなる。変調、データ転送速度、拡散率、拡散符号数などの送信パラメータは現在のチャネル状態に基づくものとなる。
【００１５】
しかし、周波数分割双方向ＦＤＤ方式では、通常、送信機は受信機のチャネル状態についてはほとんど把握していない。上り回線で受信機から送信機へある通信データの流れがある場合、このデータの流れの測定は異なる周波数で行うため信頼できない。また、送信機において実行可能な測定もある。そのような測定の１つの例として、ノードＢについていえば、あるユーザ装置ＵＥ１２０に対する送信電力に相当する送信符号電力の測定がある。送信電力はＵＥパワー制御コマンドで制御するので、チャネル状態に従い、経路損失やフェージングなどのチャネル減衰に対応した補正を行おうとする。しかし、そのような送信機による測定は特定の条件下では意味がない場合がある。
【００１６】
従来の適応技術は、受信機から送信機へ送信すべき測定リポートに基づく場合が多い。無線リソース制御ＲＲＣはそのような測定を構成して、これはＵＥ１２０から無線ネットワーク・コントローラＲＮＣ２１０に通知される。これらの測定リポートは無線で送信しなければならない新たな信号のオーバヘッドを加えることとなる。したがって、連続した測定通知は、上り回線での過剰な衝突を引き起こすので適応化の目的にとっては不利である。一方、通知を連続して行わない場合、送信機において遅延が生じ、現在のチャネル状態に従って適応化を正確に実行できない。
【００１７】
簡単なＡＲＱシステムにおける従来の適応技術は、送信機ですでに利用可能なＡＣＫ／ＮＡＫ送信に基づいている。多数のＮＡＫメッセージを受信した場合、送信機は例えば符号化率を縮小することができる。しかし、インクリメンタル冗長性を使用するシステムにおいて、ハイブリッドＡＲＱタイプ２／３は本来、多数のＮＡＫメッセージなど、多数の再送を伴うのでこのことは不利である。
【００１８】
インクリメンタル冗長性は、すでに適応的符号化方式と見なすことができる一方、一層の適応化を必要としている。以下にさらなる適応化が必要とされる理由の一例をあげる。
【００１９】
インクリメンタル冗長性を用いない移動通信システムにおいて、符号化率は通常約１／２および１／３である。タイプ２／３は最初の符号ブロックに対しては低い符号化率を使用する。従来システムは、インクリメンタル冗長性のため各符号ブロックに対して固定符号化率を使用している。例えば、各符号ブロックの符号化率は１に固定することができる。応答がないと仮定すると、（以降の合成後の）全体符号化率は再送毎にｒ＝１、１／２、１／３、１／４のように減少する。
【００２０】
したがって、タイプ１のＡＲＱと比較して、タイプ２／３方式では（再送の度に）符号ブロックごとに付加される冗長性がより小さいのでインクリメンタル冗長性方式の再送数は多くなる。適応化の細分性（チャネル状態に対する符号化率）を向上するには、単一符号ブロックの符号化率は高くなければならない。再送数は増加するがこの特定の瞬間に全体符号化率は最適な符号化値に近くなる。
【００２１】
そのような設計基準にはいくつかの問題が伴う。
【００２２】
第一に、フィードバック・チャネルで要求する必要のある再送数は大きいのでフィードバック・チャネルにおいて信号のオーバヘッドの増加を伴う。また、ＰＤＵ全体の復号が完了するまでの遅延は再送ごとに往復遅延ＲＴＤ時間によって増加する。また、単一符号ブロックの格納に必要な時間に比例した再送数の増加に伴い必要なメモリが増加する。さらに、最初の符号ブロックに高い符号化率を想定した場合、例えばｒ＝１の場合、このデータ速度は良好なチャネル状態用に設計されているため、悪いチャネル状態での再送は１００％近くになる。一方、最初の符号ブロックに低い符号化率を想定した場合、例えばｒ＝１／２の場合、再送数は少なくなるがハイブリッドタイプ１のＡＲＱより相対的に利得は小さくなる。
【００２３】
インクリメンタル冗長性の他に、別の適応符号化技術が知られている。しかし、このような従来の適応符号化方式は、符号を多数の符号ブロックに分割可能なＡＲＱタイプ２／３方式の動作を考慮していない。多数の符号ブロックの時間的多様性によって利得が生じるため、ハイブリッドＡＲＱタイプ１方式に対する必要な符号化率はハイブリッドＡＲＱタイプ２／３方式とは異なる。
【００２４】
このように、従来の装置においては、ハイブリッドＡＲＱを用いる場合に上り回線で信号測定リポートを必要とし、通信にオーバヘッドが生じる問題がある。
【００２５】
本発明はかかる点に鑑みてなされたものであり、本発明の目的は、上述した従来方式の欠点を克服するために、上り回線で信号測定リポートを必要としないで送信機による新たな測定が可能なハイブリッドＡＲＱ技術を提供し、それによってオーバヘッドを縮小するハイブリッドＡＲＱ方法及びハイブリッドＡＲＱ送信機を提供することである。
【００２６】
この目的は、独立した請求項に記載しているように本発明によって実現される。
【００２７】
本発明は、送信機で既に使用可能な情報を活用することによってインクリメンタル冗長性を持つ適応符号化方式を提供する、という点で有利である。このように、本発明は従来の方式の多くの欠点を克服する送信機測定を提供する。
【００２８】
実施の形態は従属請求項において定義されている。
【００２９】
上述したようにインクリメンタル冗長性方式は、本来、フィードバック・チャネルでＡＣＫ／ＮＡＫ情報を受信する。したがって、良好な適応化のためには多くのＮＡＫメッセージを受信する必要があるため表現性はあまり高くない。実施の形態において、本発明は以前のＰＤＵの応答に必要とした全体符号化率を導き出すための技術を提供する。この情報は対応するＰＤＵの該当符号化率を持つ再送数を合計することによって導くことができる。これにより、例えば受信機から送信機への新たな測定リポートを必要としないで必要なＦＥＣパラメータの推定値を求めることができる。
【００３０】
新たな送信機測定の他に、本発明は一実施の形態においてこの測定を利用して適応化を実行する。チャネル状態に応じて、ＰＤＵの復号に必要な再送数は変化する。インクリメンタル冗長性の場合、ＡＲＱタイプ１と比較した場合の性能上の改善は、最初の再送にある割合のＮＡＫメッセージが存在する場合（例えば５０％より大きい場合）のみ大きくなる。良好なチャネル状態の場合、１に近い符号化率（すなわち冗長性なし）が適当であり、一方非常に悪い状況（例えば、フェージング、シャドーイング）では１／３の符号化率であっても少数のパケットしか正しく復号化できない。
【００３１】
本発明は、さらに各符号ブロックの符号化率に対応した適応的符号化を提供する。特に最初の符号ブロックの符号化率は、いくつかのチャネル状態におけるある目標再送率を提供するよう調整可能である。
【００３２】
以下、添付図面を参照して本発明の実施の形態について説明するが、同じ構成要素は同じ参照番号を付して示すものとする。
【００３３】
符号化率ｒは送信済みの符号ビット数ｎに対する情報ビット数ｋの比率である。異なる符号化率および符号語は、ＲＣＰＴやＲＣＰＣ符号等のレート互換パンクチャード符号を用いて容易に生成できる。符号語は、共通のマザー符号からパンクチャ−を行う。マザー符号は、それからいくつかの高い符号化率の符号語を生成できるように低符号化率である必要がある。再送が要求される場合のため、ＰＤＵかマザー符号は送信機に格納しておく必要があり、新しい符号語を送信する必要がある。本発明が以下に述べる実施の形態に特に限定されないことは当業者には明らかであるが、ここではマザー符号全体（すなわちすべての符号語）が送信機に格納され再送信されるものとする。これにより符号化の複雑さは緩和されるが送信機のメモリをさらに必要とする。
【００３４】
本発明に係る送信機の第１の実施の形態を示す図６を参照すると、図４の構成とはＮＡＫカウンタ６００と測定装置６１０を具備する点で異なっている。送信機の動作について図７を参照して詳細に説明する。
【００３５】
ステップ７００でＦＥＣ符号器３１０によりＰＤＵを符号化した後、符号語は符号語バッファ３２０に入れられる（ステップ７１０）。次に、ステップ７２０で最初の符号語が送信される。受信機がデータを復号できない場合、ＮＡＫメッセージを送信機に送信して次の新たな符号を送信し受信データに冗長性をさらに追加するよう要求する。この場合、送信機はステップ７３０でＮＡＫメッセージを受け取り、ステップ７４０で符号語バッファ３２０から次の符号語を選択する。この次の符号語は待ち行列に入れられ送信を待つ。受信後、受信機は新しい符号語と既に受信済みの符号語を合成し受信機の全体の符号化率がｒｔｏｔ＝ｋ／（ｎｃｗ１＋ｎｃｗ２）となるようにする。このように冗長性が追加されパケットを復号できる可能性が高くなる。
【００３６】
ステップ７３０で送信機がＡＣＫメッセージを受信すると、ステップ７６０でそれぞれのＰＤＵの符号語はすべてクリアされる。
【００３７】
フローチャートに示すように、ステップ７５０でＮＡＫカウンタ６００のカウントはＮＡＫメッセージを受信するたびに増加する。このように、ＮＡＫカウンタ６００はＰＤＵが受け付けられるまでＰＤＵのすべてのＮＡＫメッセージをカウントする。各符号語の符号化率がわかることによって、ＰＤＵあたりの再送数ＮＮＡＫを測定装置６１０で使用して全体ＰＤＵ符号化率、ＰＤＵごとの平均再送数、あるいは符号語ごとの平均再送数を計算することができる。符号語の符号化率を固定した場合、測定装置６１０は各符号語の符号化率を格納するメモリを内蔵することが好ましい。以下に詳細に示すように、ある数のＰＤＵあるいはある時間にわたって測定の平均をとることができる。このため、測定装置６１０はフィルタ機能を具備することが好ましい。再送が可能となるまで往復遅延に応じて、またチャネル状態の変化の速度に応じて平均化を行うことが好ましい。フィルタ機能において、装置６１０に重みづけを適用し以前の測定より最近の測定により重みを加えることができる。
【００３８】
本実施の形態において、測定装置６１０は上位のレイヤ単位あるいは他の要素に測定値を通知する。測定値は基地局（ノードＢ）２２０あるいは無線ネットワーク・コントローラＲＮＣ２１０に通知することが好ましい。通知は要求に応じて周期的に、あるいは所定の閾値に基づいて実行できる。
【００３９】
送信機がステップ７７０で新たな測定を行うことなく再送数に基づいて計算できる測定値の例を詳細に示す。ハイブリッドＡＲＱタイプ２／３方式の本来の動作のため、ＰＤＵの復号に必要とした全符号化率を導き出すことができることがわかる。無線環境に対するいかなる適合化もそのような測定値に基づいて行うことができる。
【００４０】
測定値の計算の第一の例は、全体符号化率を計算することである。このため、全体符号化率を明確に導くことができない場合、送信機はＰＤＵあたりの再送数ＮＮＡＫおよび各符号ブロックの符号化率ｒｃｗｉをカウントする。全体ＰＤＵ符号化率ｒｔｏｔは、次の式から計算できる。
【数１】
0003629263.tif 000002
【００４１】
ここで、ｎｃｗｉは符号語ｉの符号化ビット数である。移動チャネルの精度と時間変化によって符号化率の平均をとることができる。
【数２】
0003629263.tif 000003
【００４２】
ここで、ＮＰＤＵは平均化に使用するパケット数である。実施の形態において、最初の符号ブロックの符号化率は以前に送信したＰＤＵで使用した平均符号化率に従って調整する。
【００４３】
測定値の計算の別の例は、ＰＤＵごとの平均再送数を計算することである。各ＰＤＵについて復号に必要な再送数はＮＮＡＫｉである。平均値は次の式で計算することができる。
【数３】
0003629263.tif 000004
【００４４】
再送が行われなかった場合、この値はゼロである。実施の形態において、最初の符号ブロックの符号化率はＰＤＵごとに必要な再送数に応じて調整する。ＡＲＱタイプ１の適応的符号方式と比較して、符号化は再送を行わないように（すなわちＮＮＡＫ＝０）調整するのではなく指定した平均再送数の受信を確実にするように調整する。平均再送数はほぼ１かそれ以上が好ましい。
【００４５】
さらに別の測定値の計算例は、符号語ごとの平均送信数を計算することである。ＮＰＤＵにわたって平均した符号語ｘごとの平均再送数（すべてのＮＡＫメッセージに共通）は次の式から計算できる。
【数４】
0003629263.tif 000005
【００４６】
以上、本発明の送信機測定を詳細に説明したが、以下の説明では適応化のためにこの測定を使用することに注目する。この点について図８を参照することにするが、図８はＦＥＣ制御装置８００を具備する点で図６の構成とは異なる。図８の送信機はＦＥＣ符号器３１０のデータを符号化するために使用するＦＥＣパラメータの適応化を行う。
【００４７】
図８において、適応化はＦＥＣ制御装置８００によって実行される。測定装置６１０が提供する測定値に基づいてＦＥＣ制御装置８００はＦＥＣパラメータを適応させる。適応化を行うと、符号語に対する新しい符号化率が測定装置６１０に通知される。適応化を行うプロセスを図９に示す。
【００４８】
ステップ９００で求めたＦＥＣの初期値は送信前に行った測定に基づくことが好ましい。他の実施の形態において、初期パラメータは高い符号化率に設定される。送信時、ＦＥＣパラメータは環境に適用するよう調整される。このため、適応基準として使用する所定のパラメータを監視する必要がある。このパラメータとして例えばＰＤＵごとの総再送数、符号語ごとの再送数、あるいは全体符号化率（上記を参照）がある。しかし、適応化は送信機で測定し、あるいは受信機から受信したその他どのパラメータに基づくものであってもよい。
【００４９】
図９に示した適応化プロセスで、ステップ９２０で閾値を求める。異なるＦＥＣパラメータの組み合わせ間の過度な切り替えを避けるため、ある程度の自由度を設けることができる。ステップ９１０で監視したパラメータは、次にステップ９３０、９５０で閾値と比較される。符号語ごとの平均再送数などの監視したパラメータが閾値よりも大きい場合、符号化率を小さくする。一方、監視したパラメータが閾値未満の場合、符号化率を大きくする。
【００５０】
実施の形態において、適応化プロセスはいくつかの符号語あるいはその１つに限定される。最初の符号語のみに適応化を行った場合、次の符号語の符号化率（あるいはＦＥＣパラメータ）はより高い符号化率に固定することができる。これによって全体符号化率の小さな細分性と最適に近い全体符号化率が保証される。また、次の符号語の符号化率は最初の符号語の符号化率から明確に求めることができる。これにより受信機は最初の符号ブロックの符号化率から以降の符号ブロックの符号化率を求めることができるので信号のオーバヘッドを縮小することができる。
【００５１】
別の実施の形態において、符号ブロックの符号化率を再送ごとのＰＤＵのある割合だけを復号できるように調整する。この割合は２５％であることが好ましい。
【００５２】
再び図８を参照すると、本発明のさらに別の実施の形態では、符号化パラメータの適応化の代わりに、あるいはそれに加えて適応化した送信パラメータが存在する。ある実施の形態において、変調形式を適応させる。このため、制御装置８００は変調器３３０に対して新たなアクセス（図８には図示しない）を行う。別の実施の形態において、適応化した送信パラメータは拡散率または拡散符号数である。したがって、制御装置８００は拡散器３４０に対して新たなアクセス（図８には図示しない）を行う。
【図面の簡単な説明】
【図１】ＵＭＴＳ構成を示す図
【図２】ＵＴＲＡＮ構成を示す図
【図３】送信するデータのＦＥＣ符号化が可能な送信機を示すブロック図
【図４】ＦＥＣ／ＡＲＱ方式に適応させた送信機を示すブロック図
【図５】ＡＲＱ技術により動作する受信機の動作を示すフロー図
【図６】本発明の第１の実施の形態に係る送信機を示すブロック図
【図７】上記実施の形態の送信機の動作プロセスを説明するためのフロー図
【図８】本発明の第２の実施の形態に係る送信機を示すブロック図
【図９】上記実施の形態の送信機の動作プロセスを説明するためのフロー図
【図１】
0003629263.tif 000006
【図２】
0003629263.tif 000007
【図３】
0003629263.tif 000008
【図４】
0003629263.tif 000009
【図５】
0003629263.tif 000010
【図６】
0003629263.tif 000011
【図７】
0003629263.tif 000012
【図８】
0003629263.tif 000013
【図９】
0003629263.tif 000014